(57)【要約】      （修正有）【課題】必要な信頼性、使い勝手を維持しつつ、ディスクカートリッジの小型化を図る。【解決手段】ディスク２５０を内包したディスクカートリッジ２００の外形形状は直線部と曲線部で構成される。直線部は互いに略平行で間隔がディスク２５０の直径に略等しい第１直線部２０２ａ，第２直線部２０３ａと第３直線部２０４ａからなる。曲線部は第１直線部２０２ａと第３直線部２０４ａの間はＭ３及びＬ２で、第２直線部２０３ａと第３直線部２０４ａの間はＭ４及びＬ３でおのおの示す範囲に曲率半径を異ならせて形成する。同様に第１直線部２０２ａと第２直線部２０３ａ間は曲率半径のほぼ等しいＭ１，Ｍ２と曲率半径の大きいＬ１からなる。【選択図】  図１２
2004213814.tif 000002
【特許請求の範囲】
【請求項１】
ディスク状の記録媒体を有するディスクカートリッジにおいて、
前記ディスクカートリッジの幅をＷ１、前記記録媒体の外径をＤ１とすると、
Ｗ１≒Ｄ１
としたことを特徴とするディスクカートリッジ。
【請求項２】
請求項１記載のディスクカートリッジにおいて、
前記ディスクカートリッジ内には前記記録媒体が回転可能なディスクスペースが設けられており、
前記ディスクスペースの外周には、前記記録媒体が記録媒体平面と平行方向に移動することを規制するディスク規制部が設けてあり、
前記記録媒体が前記ディスクカートリッジ内で回転するときの回転軸から、前記ディスク規制部との最短距離をＲ１とすると、
Ｗ１≦２×Ｒ１
としたことを特徴とするディスクカートリッジ。
【請求項３】
請求項１、２記載のディスクカートリッジにおいて、
前記ディスクカートリッジの幅をなす面の一部にディスクスペースに貫通した切り欠き部を設けたことを特徴とするディスクカートリッジ。
【請求項４】
請求項３記載のディスクカートリッジにおいて、
前記切り欠き部を設けた面と隣り合う面で、かつ前記切り欠き部の近傍に突起部を設けたことを特徴とするディスクカートリッジ。
【請求項５】
ディスク状の記録媒体を内包し、
所定距離だけ離間し、かつ互い略平行な第１および第２の直線部と、
該第１および第２の直線部と略直交する第３の直線部とを備え、
該第１および第２の直線部を境界として該第３の直線部を配する外周側では、該第３の直線部と前記第１および第２の直線部を２種類の曲率半径の円弧で夫々繋ぎ、該第３の直線部を配しない外周側では、前記第１および第２の直線部とを前記の２種類の曲率半径の円弧で繋いだ外周形状を有した構成としたことを特徴とするディスクカートリッジ。
【請求項６】
記録再生装置に装填された際に、内包するディスク状記録媒体を挟持するクランパとターンテーブルおよび該ディスク状記録媒体に光を照射して信号の記録およびまたは再生を行なう光ヘッドに対して、該ディスク状記録媒体を直面させるための開口窓を上側のケースおよび下側のケース夫々に設けた構成としたことを特徴とする請求項５記載のディスクカートリッジ。
【請求項７】
前記の第１および第２の直線部は、カートリッジの内部のディスクスペースから外部へ貫通した切り欠き部を囲んで前記上側のケースおよび下側のケース夫々に設置される構成としたことを特徴とする請求項５乃至は６記載のディスクカートリッジ。
【請求項８】
前記第１および第２の直線部を境界として前記第３の直線部を配しない外周側の２種類の曲率半径の円弧の内、曲率半径の大きい円弧を外周縁とし、かつ断面を略四角形とした連結部で前記開口窓の両端を連結した構成としたことを特徴とする請求項５乃至は７記載のディスクカートリッジ。
【請求項９】
前記連結部を上側のケースおよび下側のケースの平面夫々からディスクカートリッジの内側方向に凹んだ構成としたことを特徴とする請求項８記載のディスクカートリッジ。
【請求項１０】
前記上側ケースおよび下側ケースの平面夫々に、１つの位置決め基準穴に対して２つのアライメント穴を該基準穴を通る略直交軸上に略等距離だけ離間させて設置した構成としたことを特徴とする請求項５乃至は９記載のディスクカートリッジ。
【請求項１１】
前記位置決め基準穴およびアライメント穴を、前記の２種類の曲率半径の円弧の接続点の近傍に設置したことを特徴とする請求項１０記載のディスクカートリッジ。
【請求項１２】
前記連結部と前記上側ケースおよび下側ケース夫々の平面を繋ぐ垂直面の少なくとも一部が、前記の第３の直線部と略平行となる構成としたことを特徴とする請求項５乃至は１１記載のディスクカートリッジ。
【請求項１３】
前記の上側ケースおよび下側ケース夫々の平面に、前記の位置決め基準穴およびアライメント穴とは別に複数の穴を設置したことを特徴とする請求項５乃至は１２記載のディスクカートリッジ。
【請求項１４】
前記の上側ケースおよび下側ケース夫々の平面の一方あるいは両方に、少なくとも１つ以上のラベルエリアを設け、かつ該ラベルエリア内に上側ケースおよび下側ケース夫々の平面のいずれであるかを識別可能とする表示を施した構成とすることを特徴とする請求項５乃至は１３記載のディスクカートリッジ。
【請求項１５】
前記の第３の直線部にヒンジを設置し、該ヒンジを中心に前記の上側ケースおよび下側ケースが回動可能な構成としたこと特徴とする請求項５乃至は１４記載のディスクカートリッジ。
【請求項１６】
前記上側ケースおよび下側ケースは、前記のヒンジ部と前記の開口窓を跨いだ一組のロック部の３箇所で契合する構成としたことを特徴とする請求項５乃至は１５記載のディスクカ−トリッジ。
【請求項１７】
前記第１の直線部と第２の直線部の間隔は略８０．５ｍｍ、前記第３の直線部と前記の連結部の頂点の間隔は略８５ｍｍ、かつ前記の上側ケースおよび下側ケース夫々の平面の間隔は略５．２ｍｍに形成されることを特徴とする請求項５乃至は１６記載のディスクカートリッジ。
【請求項１８】
所定距離だけ離間し、かつ互い略平行な第１および第２の直線部と、該第１および第２の直線部と略直交する第３の直線部とを備え、
該第１および第２の直線部を境界として該第３の直線部を配する側では、該第３の直線部と前記第１および第２の直線部を２種類の曲率半径の円弧で夫々繋ぎ、
該第３の直線部を配しない側では、前記第１および第２の直線部とを前記の２種類の曲率半径の円弧で繋いだ外周形状を有した構成としたことを特徴とするディスクカートリッジ。
【発明の詳細な説明】
【０００１】
【発明の属する技術分野】
本発明はディスク状の記録媒体を用いたディスクカートリッジに関するものであり、ディスクカートリッジの小型化を図るものである。
【０００２】
【従来の技術】
ディスク状の記録媒体には例えば光ディスクなどが挙げられる。光ディスクでは記録部に対し手の油脂、汚れ等の付着防止や、ハンドリング性向上のためディスクカートリッジに内包されて使用されることが多い。よって、内包するために、従来のディスクカートリッジでは、ディスクカートリッジの幅をディスクの外径よりも大きく作られている。この従来例としては、例えば、特許文献１などがある。
【０００３】
ディスクカートリッジの一般的な従来の技術を図９から図１１により説明する。図９は従来のディスクカートリッジ１０１の概観図、図１０はディスクカートリッジとディスクカートリッジに内包されたディスクとの比較図、図１１はディスクカートリッジ１０１の分解図である。ディスクカートリッジ１０１は、ディスク１０５の外径より大きなケース１０２ａとケース１０２ｂの２個のケース、シャッタ１０３、シャッタバネ１０４、ライトプロテクト１０９などにより構成されている。ケース１０２ａとケース１０２ｂはお互いを重ね合わせたときにディスクを内包可能なディスクスペース１１１を形成する形状になっている。またディスクスペース１１１の外周にはディスク１０５がディスク平面と平行方向に移動することを規制するディスク規制部１１２が設けてある。ディスクスペース１１１内にディスク１０５があることで、ディスク１０５はケース１０２ａ、ケース１０２ｂに接触することなく回転可能である。また、ケース１０２ａとケース１０２ｂを重ね合わせ、ディスク１０５を挟み込むように内包することでディスク１０５の大部分をカートリッジ外部に対し遮断することが出来る。
【０００４】
またケース１０２ａとケース１０２ｂには開口窓１１０ａ、１１０ｂが設けてあり、これらの開口窓１１０ａ、１１０ｂの開閉を行うためにシャッタ１０３が用いられる。記録再生装置ではこの開口窓１１０ａ、１１０ｂを通して光ヘッドがディスク１０５へアクセスし記録再生を行う。またシャッタバネ１０４は、常時シャッタ１０３を開口窓１１０ａ、１１０ｂが閉じる方向に付勢しており、ディスクカートリッジ１０１が記録再生装置外にあるときに開口窓１１０ａ、１１０ｂを閉じる構造になっている。このようにディスク１０５は、記録再生装置外にあるときにケース１０２ａ、１０２ｂ及びシャッタ１０３によって外部から遮断された構造になっている。またライトプロテクト１０９はディスク１０５の記録許可／不許可を切り替えるスイッチであり、ユーザ自身が切り替えることにより誤消去防止を行っている。
【０００５】
【特許文献１】
特開平１０−２６９７４０号公報（第２−３頁、第１図、第２図）
【０００６】
【発明が解決しようとする課題】
従来のディスクカートリッジでは、ディスクカートリッジの幅をディスクの外径よりも大きく作られている。ディスクカートリッジ１０１内のディスクスペース１１１でディスク１０５が接触することなく回転するためには、ディスクスペース１１１の外周に設けるディスク規制部１１２をディスク１０５の外径のほかディスクの偏心による回転時のブレ等を考慮して配置する必要がある。このため図１０に示すようにディスクカートリッジ１０１の幅Ｗ２とディスク１０５の外径Ｄ２とは、
Ｗ２＞Ｄ２
となっている。
【０００７】
またディスク１０５を外部から遮断するためにはディスクスペース１１１の端に側壁を設ける必要もある。これはディスク規制部１１２と兼用可能である。ここで図１１で示すようにディスク１０５の回転軸からディスク規制部１１２までの最短距離をＲ２とすると、ディスク規制部１１２の厚さがディスクカートリッジ１０１の幅に加わるため、ディスクカートリッジ１０１の幅Ｗ２とディスクスペース端までの距離Ｒ２とは、
Ｗ２＞２×Ｒ２
となる。
【０００８】
以上のようにディスクカートリッジを使用する場合、ディスク単体よりも大なカートリッジを必要とする。ディスクよりディスクカートリッジが大きいと、これを使用するディスク装置の小型化が難しくなる。本発明の目的は必要な信頼性、使い勝手を維持しつつ、ディスクカートリッジの小型化を図ることである。
【０００９】
【課題を解決するための手段】
本発明は以下の手段を用いることにより実現する。
ディスクカートリッジの幅をＷ１、ディスクの外径をＤ１とすると、
Ｗ１≒Ｄ１
とする。
また、ディスクカートリッジ内にはディスクが回転可能なディスクスペースが設けられており、ディスクスペースの外周にはディスクがディスク平面と平行方向に移動することを規制するディスク規制部が設けてあり、ディスクがディスクカートリッジ内で回転するときの回転軸からディスク規制部との最短距離をＲ１とすると、
Ｗ１≦２×Ｒ１
とする。
また、ディスクカートリッジの幅をなす面の一部にディスクスペースに貫通した切り欠き部を設ける。
また、切り欠き部を設けた面と隣り合う面で、かつ切り欠き部の近傍に突起部を設ける。
【００１０】
さらに、ディスク状の記録媒体を内包し、所定距離だけ離間し、かつ互い略平行な第１および第２の直線部と、該第１および第２の直線部と略直交する第３の直線部とを備え、該第１および第２の直線部を境界として該第３の直線部を配する外周側では、該第３の直線部と前記第１および第２の直線部を２種類の曲率半径の円弧で夫々繋ぎ、該第３の直線部を配しない外周側では、前記第１および第２の直線部とを前記の２種類の曲率半径の円弧で繋いだ外周形状を有した構成とする。
【００１１】
また、記録再生装置に装填された際に、内包するディスク状記録媒体を挟持するクランパとターンテーブルおよび該ディスク状記録媒体に光を照射して信号の記録およびまたは再生を行なう光ヘッドに対して、該ディスク状記録媒体を直面させるための開口窓を上側ケースおよび下側ケース夫々に設けた構成とする。
また、前記の第１および第２の直線部は、カートリッジの内部のディスクスペースから外部へ貫通した切り欠き部を囲んで前記の上側ケースおよび下側ケース夫々に設置される構成とする。
また、前記の第１および第２の直線部を境界として前記の第３の直線部を配しない外周側の２種類の曲率半径の円弧の内、曲率半径の大きい円弧を外周縁とし、かつ断面を略四角形とした連結部で前記開口窓の両端を連結した構成とする。
また、前記の連結部を上側ケースおよび下側ケース夫々の平面から内側方向に凹んだ構成とする。
【００１２】
さらに、前記の上側ケースおよび下側ケース夫々の平面に、１つの位置決め基準穴に対して２つのアライメント穴を該基準穴を通る略直交軸上に略等距離だけ離間させて設置した構成とする。
また、前記の位置決め基準穴およびアライメント穴を、前記の２種類の曲率半径の円弧の接続点の近傍に設置する。
また、前記の連結部と前記の上側ケースおよび下側ケース夫々の平面を繋ぐ垂直面の少なくとも一部が、前記の第３の直線部と略平行となる構成とする。
【００１３】
また、前記の上側ケースおよび下側ケース夫々の平面に、前記の位置決め基準穴およびアライメント穴とは別に複数の穴を設置する。
また、前記の上側ケースおよび下側ケース夫々の平面の一方あるいは両方に、少なくとも１つ以上のラベルエリアを設け、かつ該ラベルエリア内に上側ケースおよび下側ケースの平面のいずれであるかを識別可能とする表示を施す。
また、前記の第３の直線部にヒンジを設置し、該ヒンジを中心に前記の上側ケースおよび下側ケースが回動可能な構成とする。
そして、前記の上側ケースおよび下側ケースは、前記のヒンジ部と前記の開口窓を跨いだ一組のロック部の３箇所で契合する構成とする。
【００１４】
【発明の実施の形態】
ディスク状記録媒体（以後、ディスクと呼ぶ）表面の状態に対応した適応型記録制御等によるデータ書き込み不良の低減、同一個所の繰り返し再生あるいはエラー訂正処理の強化等によるデータ誤認識の低減により記録再生技術の信頼性は著しく向上している。この記録再生技術向上によりディスク表面への塵埃付着に対しては通常の保管、使用程度であれば記録再生性能の劣化を抑制できるようになってきた。しかし、これらの記録再生技術によっても手の油脂等が記録部に付着した場合の記録再生性能の劣化を防ぐのはまだ難しい状況にある。油脂などの汚れの付着の原因は、例えばディスクカートリッジを使用してないディスクの場合、主にユーザーのハンドリングによるものであり、無意識あるいは誤って記録部に触れ、汚れを付着させている。これに対しディスクカートリッジを使用した場合、ディスクに触れる機会を少なく出来るため、汚れの付着を大幅に低減することが出来る。これらの点を考慮し、ディスクの記録面への油脂など汚れ付着の防止とディスクカートリッジの小型化に重点をおくことで、特に記録時の信頼性を維持しつつディスクカートリッジの従来以上の小型化を図る。この結果、該ディスクカートリッジを使用する記録再生装置の小型化も図れる。
【００１５】
また、ディスクカートリッジに収納しないでディスクを装着して記録あるいは再生を行なう装置への装着互換性を確保するため、ディスクはディスクカートリッジから取出しあるいはディスクカートリッジへの挿入が可能な構成とする。
【００１６】
以下に本発明の実施例を図１〜図１６により説明する。
図１〜図３は本発明の１実施例であるディスクカートリッジの概観を示した図であり、図１はディスクカートリッジの概観図である。また、図２はディスクカートリッジとディスクカートリッジに内包されたディスクとの比較図である。また、図３はディスクカートリッジの分解図である。
【００１７】
ディスクカートリッジ１は、ケース２ａとケース２ｂの２個のケース、シャッタ３、シャッタバネ４、ライトプロテクト９などにより構成されている。ケース２ａとケース２ｂはお互いを重ね合わせたときにディスクを内包可能なディスクスペース１１を形成する形状になっている。またディスクスペース１１の外周にはディスク５がディスク平面と平行方向に移動することを規制するディスク規制部１２が設けてある。ディスクスペース１１内にディスク５があることで、ディスク５はケース２ａ、ケース２ｂに接触することなく回転可能である。また、ケース２ａとケース２ｂを重ね合わせ、ディスク５を挟み込むように内包することでディスク５の大部分をカートリッジ外部に対し遮断することが出来る。またケース２ａとケース２ｂには開口窓１０ａ、１０ｂが設けてあり、これらの開口窓１０ａ、１０ｂの開閉を行うためにシャッタ３が用いられる。記録再生装置ではこの開口窓１０ａ、１０ｂを通して光ヘッドがディスク５へアクセスし記録再生を行う。またシャッタバネ４は、常時シャッタ３を開口窓１０ａ、１０ｂが閉じる方向に付勢しており、ディスクカートリッジ１が記録再生装置外にあるときに開口窓１０ａ、１０ｂを閉じる構造になっている。このようにディスク５は、記録再生装置外にあるときにケース２ａ、２ｂ及びシャッタ３によって外部から遮断された構造になっている。またライトプロテクト９はディスク５の記録許可／不許可を切り替えるスイッチであり、ユーザ自身が切り替えることにより誤消去防止を行っている。
【００１８】
本実施例のディスクカートリッジでは、図２に示すようにディスクカートリッジ１の側面に切り欠き部７ａ、７ｂを設け、ディスクカートリッジ１の幅Ｗ１とディスク５の外径Ｄ１をほぼ等しくしている。切り欠き部７ａ、７ｂを設けることでディスク５はディスクカートリッジ１から露出することになるが、露出部はディスク５の外周部のみであり、記録面に指紋などが付着することはない。ディスクカートリッジ１の一部に切り欠きを設け、その部分からディスク５が露出していても、実際の取り扱いにおいて記録面にユーザーが触れないため問題が発生することは少ない。
【００１９】
また図３に示すようにディスク回転軸から、ディスクスペース１１の外周に設けられたディスク規制部１２までの最短距離をＲ１とすると、ディスクカートリッジ１の側面に切り欠き部７ａ、７ｂを設けることでディスクカートリッジの幅Ｗ１を、
Ｗ１≦２×Ｒ１
となるようにすることが出来、小型化の実現が可能になる。
以上のように、ディスクカートリッジ１の側面に切り欠き部７ａ、７ｂを設けることで、従来ではディスクよりも大きかったディスクカートリッジの幅を、本実施例ではディスク並の大きさに出来るため小型化に有利である。
本実施例では、ディスクカートリッジの側面に切り欠き部を設けるためディスクカートリッジの剛性が低下すると考えられる。
【００２０】
図４、図５によりディスクカートリッジの剛性低下方向と、剛性低下を防止した本発明の第２の実施例を説明する。
図４は、本発明の実施例のディスクカートリッジを、切り欠き部を設けた面から見た図である。図４（ａ）のように側面の一部に切り欠きを設けた場合、図４（ｂ）の矢印で示した方向の剛性が低下するため図４（ｂ）のように変形する恐れがある。これを防ぐためには図５に示すように、切り欠き部を設けた面と隣り合う面でかつ切り欠き部近傍に突起部８ａ、８ｂを設けることが有効である。図５（ａ）は突起部８ａ、８ｂを設けたディスクカートリッジの概観図であり、図５（ｂ）はディスクカートリッジ１を下方向から見た図である。この突起部８ａ、８ｂを設けることで図４（ｂ）に示す方向の剛性が増加し、ディスクカートリッジ１の変形を防ぐことが出来る。
【００２１】
本発明の第３の実施例を図６により説明する。図６のディスクカートリッジ２１は第１の実施例からシャッタを省いた構造になっており、常時開口窓３０ａよりディスク２５が露出している。シャッタを省くことにより部品点数を削減でき、低コスト化を図ることが出来る。ディスク単体で使用されるディスクの場合、記録面に指紋を付着させずにユーザーが取り扱うためにはディスクの外周や中心の穴など限られた部分しか触ることが出来ない。これに対し、本実施例のようなシャッタレスのディスクカートリッジの場合、開口窓からディスクの記録面は露出しているが、それ以外の部分はケース２２ａ、２２ｂにより覆われているためディスク単体の状態より取り扱い出来る部分が多くなり使い勝手は向上する。また、ディスクカートリッジ２１の幅も本発明によりディスク単体の状態とほぼ同じ大きさにすることが出来る。
【００２２】
本発明の第４の実施例を図７により説明する。図７のディスクカートリッジ４１は第３の実施例に対してディスクカートリッジの角を取り、円弧状にしたものである。一般にディスクカートリッジは方形形状のものが多いが、ディスクは円弧状であるためディスクカートリッジの角部の分だけ大型化している。ここではディスクカートリッジ４１の角部を除き円弧状にすることでより小型化を図っている。
【００２３】
本発明の第５の実施例を図８により説明する。図８（ａ）（ｂ）はディスクカートリッジ６１の表裏面を示している。図８のディスクカートリッジ６１は第１の実施例からシャッタを省き、かつディスク６５に対しケース６２ａを一方側にのみに配置した構造になっている。またケース６２ａはディスク６５を保持するためにフランジ７３ａ、７３ｂおよび可動フランジ７４ａ、７４ｂを有している。ここでディスク６５は片面にのみ記録面を有するディスクであり、開口部７０ａから露出した面が記録面側である。片面ディスクであるため図８（ａ）のように非記録面が露出していても問題はない。本実施例ではディスクカートリッジを形成するケースが１個のため低コスト化が可能になる。こうしたディスクカートリッジにも本発明を適応し小型化が実現できる。
【００２４】
本発明の第６の実施例を図１２〜図１６を用いて説明する。
図１２は、第６の実施例のディスクカートリッジ２００の平面図である。図において２００ａは上側のケース、２０１ａは平面、２５０はデイスクカートリッジ２００に内包するディスクである。２０２ａは第１の直線部であり、２０３ａは第２の直線部である。
【００２５】
該第１の直線部２０２ａと第２の直線部２０３ａは互いに略平行に配置されている。２０４ａは第３の直線部であり、該第３の直線部は前記の第１の直線部２０２ａおよび第２の直線部２０３ａと略直交するように配置される。
【００２６】
該第１の直線部２０２ａおよび第２の直線部２０３ａを境界として該第３の直線部２０４ａを配する外周側では、該第３の直線部２０４ａと前記第１の直線部２０２ａとをＬ２およびＭ３で夫々示す範囲に曲率半径を異ならせて形成される円弧３０１ａおよび３０２ａで繋ぎ、該第３の直線部２０４ａと前記第２の直線部２０３ａとをＬ３およびＭ４で夫々示す範囲に曲率半径を異ならせて形成される円弧３０３ａおよび３０４ａで繋ぐ。
【００２７】
ここで、Ｌ２、Ｍ３、Ｌ３およびＭ４の範囲の円弧３０１ａ、３０２ａ、３０３ａおよび３０４ａの曲率半径を夫々Ｒ（Ｌ２）、Ｒ（Ｍ３）、Ｒ（Ｌ３）およびＲ（Ｍ４）で表すと、次式の関係となる。
Ｒ（Ｌ２）≒Ｒ（Ｌ３）＞Ｒ（Ｍ３）≒Ｒ（Ｍ４）・・・・・・・・・・・（１）
一方、該第１の直線部２０２ａおよび第２の直線部２０３ａを境界として該第３の直線部２０４ａを配しない外周側では、該第１の直線部２０２ａおよび第２の直線部２０３ａとをＬ１、Ｍ１およびＭ２で夫々示す範囲に曲率半径を異ならして形成される円弧３０５ａ、３０６ａおよび３０７ａで繋ぐ。
ここで、Ｌ１、Ｍ１およびＭ２の範囲の円弧３０５ａ、３０６ａおよび３０７ａの曲率半径を夫々Ｒ（Ｌ１）、Ｒ（Ｍ１）およびＲ（Ｍ２）で表すと、次式の関係となる。
Ｒ（Ｌ１）＞Ｒ（Ｍ１）≒Ｒ（Ｍ２）・・・・・・・・・・・（２）
２０５ａは、本発明のカートリッジ２００が記録再生装置（図示せず）に装填された際に、内包するディスク２５０を挟持するクランパとターンテーブルおよび該ディスク２５０に光を照射して信号の記録あるいは再生を行なう光ヘッドに対して、該ディスク２５０を直面させるための開口窓である。該開口窓２０５ａは、４つの直線区間２０６ａ、２０７ａ、２０８ａおよび２０９ａと、２つの円弧区間２１０ａおよび２１１ａで囲まれている。
【００２８】
２１２ａは、該開口窓２０５ａの円弧区間２１１ａを内周縁とし、前記のＬ１の範囲の円弧３０５ａを外周縁として該開口窓２０５ａの直線区間２０６ａおよび２０７ａの両端を連結する連結部である。該連結部２１２ａは、図示しない下側のケース２００ｂの連結部２１２ｂと組み合わさって、断面が略四角形の連結部２１２を形成する。前記の外周縁の円弧３０５ａの曲率半径Ｒ（Ｌ１）に対して、該内周縁の円弧２１１ａの曲率半径をＲ（Ｎ１）とすると、次式の関係をもつ。
Ｒ（Ｌ１）＞Ｒ（Ｎ１）・・・・・・・・・・・（５）
この関係式を成立しつつ、略四角形の断面の面積は、円弧の頂点Ｐで最小で、前記の第１の直線部２０２ａおよび第２の直線部２０３ａに近づくにつれて次第に大きくなるように構成されている。
【００２９】
図１３は、図１２でディスクカートリッジ２００を矢印Ｙ方向から見た投影図である。図において、２００ａは上側のケースであり、２００ｂは下側のケースである。２０３ａおよび２０３ｂは、夫々上側のケース２００ａおよび下側のケース２００ｂに設けられた第２の直線部である。該第２の直線部２０３ａおよび２０３ｂは、点線で示したディスクカートリッジ２００の内部に形成されたディスクスペース２１３からディスクカートリッジ２００の外部に貫通した切り欠き部２１４を囲んで配置されている。
【００３０】
２１２ａおよび２１２ｂは前記の連結部である。該連結部２１２ａおよび２１２ｂは、夫々前記の平面２０１ａおよび平面２０１ｂからディスクカートリッジ２００の内側方向に凹んだ構成となっている。
【００３１】
ここで、連結部２１２ａと平面２０１ａを繋ぐ垂直面２１８ａ、および連結部２１２ｂと平面２０１ｂを繋ぐ垂直面２１８ｂは略同一面上に配置されており、両垂直面は第３の直線部２０４ａおよび２０４ｂと略平行な関係になるように構成されている。
【００３２】
互いに略平行に構成される垂直面２１８ａ、２１８ｂと第３の直線部２０４ａおよび２０４ｂは、記録再生装置に対して図１２中に示した矢印Ｇ方向に挿入および排出される際の案内として機能する。一方、略平行に構成される前記の第１の直線部２０２ａ、２０２ｂと第２の直線部２０３ａ、２０３ｂは、図１２中に示した矢印Ｈ方向に挿入および排出される際の案内として機能する。
【００３３】
また、前掲の図１２に記載したように、前記の平面２０１ａには、記録再生装置にディスクカートリッジが装着された際に所定の位置に位置決めするための１つの位置決め基準穴（ローケーション穴）２１５ａと、２つのアライメント穴２１６ａおよび２１７ａが配置されている。該アライメント穴２１６ａおよび２１７ａは、該位置決め基準穴２１５ａを通る略直交軸上に略等距離だけ離間させて配置されている。このように、１つの位置決め基準穴２１５ａに対して２つのアライメント穴２１６ａおよび２１７ａを配置することにより、記録再生装置に設置される契合ピン（図示せず）が２つのアライメント穴２１６ａあるいは２１７ａのいずれか一方と位置決め基準穴２１５ａとに契合すればよい構成となり、この結果、小型化する記録再生装置の設計自由度を向上させることが可能となる。
【００３４】
ここで、前記の位置決め基準穴２１５ａ、アライメント穴２１６ａおよび２１７ａは夫々、前記の２種類の曲率半径の円弧３０３ａおよび３０４ａ、３０１ａおよび３０２ａ、３０５ａおよび３０７ａ各接続点の近傍に設置されている。これにより、デイスクカートリッジ２００に必要な位置決め機能を、ディスクカートリッジ２００の形状を必要最小限に抑えた状態で付加することが可能となる。
【００３５】
また、前記の平面２０１ａには、前記の位置決め基準穴２１５ａおよびアライメント穴２１６ａ、２１７ａの他に４つの穴２１９ａが設けてある。これらの穴は、ディスクカートリッジ２００が記録再生装置のローダー（図示せず）に挿入される際、該ローダーに設置した契合部材が該４つ穴の内の少なくとも１つと契合することにより、ローダー内の所定の位置にディスクカートリッジ２００を保持する機能を持つ。本実施例では、設置する穴の個数を４つとしたが、これに限定されるものではない。
【００３６】
また、前記の平面２０１ａには、少なくとも１つ以上のラベルエリア２２０ａが設けられており、かつ、該ラベルエリア２２０ａ内には、該ラベルエリア２２０ａが設置された平面２０１ａを操作者に識別可能とするための表示（本実施例では、「ＳＩＤＥ−Ａ」なる表示としているがこれ以外の表示であっても良い）がされている。操作者は、該ラベルエリア２２０ａ内の表示に対応させて、「ＳＩＤＥ−Ａ」をその一部分に印刷したラベルをラベルエリア２２０ａに添付することにより、記録内容等を記入後でも平面２０１ａを識別可能となる。この結果、記録再生装置へのディスクカートリッジ２００の挿入方向が分りやすく等、操作者の利便性の向上が図れる。
【００３７】
図１４は、本発明のディスクカートリッジ２００にヒンジ２２１を設けた第７の実施例であり、ディスク２５０をディスクカートリッジ２００から取出す、あるいはディスクカートリッジ２００に収容するために上側ケース２００ａと下側ケース２００ｂを該ヒンジ２２１を支点として相対的に回動させて開いた状態を示している。ここで、ヒンジ２２１は、上側ケース２００ａに設置した凹部を有する２個の張出部（フランジ）２２１ａと、下側ケース２００ｂに設置した両端に凸部を有する立上部２２１ｂにより構成されている。
【００３８】
２２３ａは上側のケース２００ａの外周に設けられた穴を示す。該穴２２３ａは、下側のケース２００ｂの外周に一体的に設けられた板バネ２２２ｂの先端部に設けた突起２２３ｂと契合可能に構成されている。
【００３９】
図１５は、前掲の図１４の状態から、上側ケース２００ａと下側ケース２００ｂを前記ヒンジ２２１を支点として相対的に回動させて閉じた状態を示している。この閉じる動作の過程で、前記の板バネ２２２ｂがディスクカートリッジ２００の内側に変形することにより前記穴２２３ａに突起２２３ｂが入り込んでロック部２２３を形成し、上側ケース２００ａと下側ケース２００ｂが合わさった状態に保持される。この状態で、上側ケース２００ａと下側ケース２００ｂは、前記のヒンジ２２１と前記の開口窓１０５ａを跨いだ一組のロック部２２３の３箇所で契合する。これにより、上側ケース２００ａと下側ケース２００ｂは、互いに近接して所定の外形寸法を維持しつつ確実にディスクを内包することが出来る。
【００４０】
再度、前掲の図１４に示す開いた状態とするには、前記の板バネ２２２ｂをカートリッジ２００の内側に押して変形させ、前記穴２２３ａと突起２２３ｂの契合を解除すればよい。
【００４１】
上記の本発明の実施例にて、前記の第１の直線部２０２ａと第２の直線部２０３ａの間隔（Ｗ３）は略８０．５ｍｍ、前記の第３の直線部２０４ａと連結部２１２ａの頂点Ｐの間隔は略８５ｍｍ、前記の平面２０１ａと平面２０１ｂの間隔は略５．２ｍｍに設定されている。内包されるディスクの直径（Ｄ３）は略８０ｍｍである。
この場合にも、Ｗ３≒Ｄ３の関係が成立している。
【００４２】
また、上記の実施例の説明では、上側ケース２００ａの外周形状についてのみ説明したが、下側ケース２００ｂの外周形状も略同一である。一方、構成要素については、上側ケース２００ａに備えられるものについて述べてあるが、これに対応する下側ケース２００ｂに備えられる構成要素に関しては、特に記述のない限り、上側ケース２００ａと同一の構成要素を備えている構成でも、また備えていない構成のいずれでも良い。
【００４３】
なお、上記の実施例は、基本的に上側ケース２００ａと下側ケース２００ｂの２個のピースによりディスクカートリッジ２００が構成されている。これにより、低コスト化が図れる。
【００４４】
図１６は、上記の第６および第７の実施例のディスクカートリッジ２００を用いる記録再生装置の一例を示したものである。ここでは、カメラ一体型の記録再生装置を示している。図において、３００はカメラ一体型の記録再生装置であり、３０１はディスクカートリッジ２００を挿入あるいは排出時に開口３０２を形成する蓋である。
【００４５】
ここで、ディスクカートリッジ２００は、矢印Ｇ方向に該開口３０２に挿入あるいは排出される。前記のようにディスクカートリッジ２００の第１の直線部２０２ａ（２０２ｂ）と第２の直線部２０３ａ（２０３ｂ）の間隔（Ｗ３）はディスクの直径（Ｄ３）と略等しいので、装置高さを低くすることが可能となる。矢印Ｇ方向、即ちカメラ一体型記録再生装置の上方からディスクカートリッジ２００を挿入あるいは排出する構成とすることにより、記録動作時の姿勢でディスクカートリッジを容易に挿入あるいは排出することが可能となる。
【００４６】
【発明の効果】
上記の構成によるディスクカートリッジにより、ディスク外径とほぼ等しい幅を有するディスクカートリッジを実現することが出来、小型化に有効である。
【００４７】
また、直線部および複数の異なる曲率半径の円弧で繋いだ外周形状とすることにより、開口窓や位置決めの必要機能を有しつつ、内包するディスクに近い寸法のディスクカートリッジを実現できる。
【００４８】
また、２組の互いに略直交する略平行な直線部を備えた構成とすることにより、記録再生装置に対してのディスクカートリッジの挿入方向を２通りから選択可能となるので、記録再生装置の設計自由度を向上できる。
【００４９】
また、ディスクカートリッジを上側ケースと下側ケースの２ピースで構成し、両者をヒンジで連結することにより、ディスクの取出および収納が自在な小型で低コストのディスクカートリッジを実現できる等の効果がある。
【００５０】
また、本発明のディスクカートリッジを使用することにより、カメラ一体型等の記録再生装置の寸法を小さく出来る。
【図面の簡単な説明】
【図１】本発明の第１の実施例を示した図で、ディスクカートリッジの概観図である。
【図２】本発明の第１の実施例を示した図で、ディスクカートリッジとディスクの比較図である。
【図３】本発明の第１の実施例を示した図で、ディスクカートリッジの分解図である。
【図４】本発明の実施例におけるディスクカートリッジの剛性低下方向を示した図である。
【図５】本発明の第２の実施例を示した図で、突起部を設け剛性を高めたディスクカートリッジの概観図である。
【図６】本発明の第３の実施例を示した図で、ディスクカートリッジの概観図である。
【図７】本発明の第４の実施例を示した図で、ディスクカートリッジの概観図である。
【図８】本発明の第５の実施例を示した図で、ディスクカートリッジの概観図である。
【図９】従来例を示した図で、従来のディスクカートリッジの概観図である。
【図１０】従来例を示した図で、ディスクカートリッジとディスクの比較図である。
【図１１】従来例を示した図で、従来のディスクカートリッジの分解図である。
【図１２】本発明の第６の実施例を示した図で、ディスクカートリッジの平面図である。
【図１３】本発明の第６の実施例を示した図で、ディスクカートリッジの側面図である。
【図１４】本発明の第７の実施例を示した図で、ディスクカートリッジの開き状態を示す概観図である。
【図１５】本発明の第７の実施例を示した図で、ディスクカートリッジの閉じた状態を示す概観図である。
【図１６】本発明の第６および第７の実施例のディスクカートリッジを使用するカメラ一体型の記録再生装置への挿入あるいは排出方向をしめす概観図である。
【符号の説明】
１…ディスクカートリッジ、
２ａ、２ｂ…ケース、
３…シャッタ、
４…シャッタバネ、
５…ディスク、
６ａ、６ｂ…位置決め穴、
７ａ、７ｂ…切り欠き部、
８ａ、８ｂ…突起部、
９…ライトプロテクト、
１０ａ、１０ｂ…開口窓、
１１…ディスクスペース、
１２…ディスク規制部、
２１…ディスクカートリッジ、
２２ａ、２２ｂ…ケース、
２５…ディスク、
３０ａ、３０ｂ…開口窓、
４１…ディスクカートリッジ、
４２ａ、４２ｂ…ケース、
４５…ディスク、
５０ａ、５０ｂ…開口窓、
６１…ディスクカートリッジ、
６２ａ…ケース、
６５…ディスク、
７０ａ…開口窓、
７２…ディスク規制部、
７３ａ、７３ｂ…フランジ、
７４ａ、７４ｂ…可動フランジ、
１０１…従来ディスクカートリッジ、
１０２ａ、１０２ｂ…ケース、
１０３…シャッタ、
１０４…シャッタバネ、
１０５…ディスク、
１０６ａ、６ｂ…位置決め穴、
１０９…ライトプロテクト、
１１０ａ、１１０ｂ…開口窓、
１１１…ディスクスペース、
１１２…ディスク規制部、
２００…ディスクカートリッジ、
２００ａ…上側ケース、
２００ｂ…下側ケース、
２０１ａ、２０１ｂ…平面、
２０２ａ、２０２ｂ…第１の直線部、
２０３ａ、２０３ｂ…第２の直線部、
２０４ａ、２０４ｂ…第３の直線部、
２０５ａ…開口窓、
３０１ａ、３０２ａ、３０３ａ、３０４ａ、…円弧、
３０５ａ、３０６ａ、３０７ａ、…円弧、
３０１ｂ、３０２ｂ、３０３ｂ、３０４ｂ、…円弧、
３０５ｂ、３０６ｂ、３０７ｂ…円弧、
２１１ａ…円弧、
２１２ａ、２１２ｂ…連結部、
２１８ａ、２１８ｂ…垂直面、
２１５ａ…位置決め基準穴、
２１６ａ、２１７ａ…アライメント穴、
２１９ａ…穴、
２２０ａ…ラベルエリア、
２２１…ヒンジ、
２２１ａ…張出部、
２２１ｂ…立上部、
２２２ｂ…板バネ、
２２３ａ…穴、
２２３ｂ…突起、
３００…カメラ一体型記録再生装置、
３０１…蓋、
３０２…開口。
【図１】
2004213814.tif 000003
【図２】
2004213814.tif 000004
【図３】
2004213814.tif 000005
【図４】
2004213814.tif 000006
【図５】
2004213814.tif 000007
【図６】
2004213814.tif 000008
【図７】
2004213814.tif 000009
【図８】
2004213814.tif 000010
【図９】
2004213814.tif 000011
【図１０】
2004213814.tif 000012
【図１１】
2004213814.tif 000013
【図１２】
2004213814.tif 000014
【図１３】
2004213814.tif 000015
【図１４】
2004213814.tif 000016
【図１５】
2004213814.tif 000017
【図１６】
2004213814.tif 000018